(57)【要約】  単一ディスプレイ（１）をスプライシングして成るビデオウォールシステムであって、スプライシングしたビデオウォールは「フルシームレス」表示になり、すなわち、ビデオウォールの全ての表示領域において「画素フルカバレッジ」が実現されて、「画面表面シーム」（３ａ，３ｂ，３ｃ，３ｄ）も「画面間シーム」（１０５）もない表示システムになり、ディスプレイ（１）は「スプライシング前にシームあり」「スプライシング後にシームレス」ディスプレイである。「シーム有りスプライシング画面」とは、ディスプレイ（１）の「表示面領域」（２）の周辺に画素のない「額縁」が囲んでおり、これら「額縁」（３ｂ，３ｃ）が如何に「狭くても」、スプライシングしてビデオウォールを構成してビデオ画像を放送する時に、画素がないため、ビデオ画像を表示せずに画面を分割するものである。このような「額縁」（３ｂ，３ｃ）はディスプレイ「固有」の「画面表面シーム」であり、「スプライシング前のシームレス画面」とは、単一ディスプレイであり、表示画素がその外径境界（４）まで設置されており、すなわち、その外径境界（４）内のすべての領域内にビデオ画像が表示されている。
2018522255.tif 000002
【特許請求の範囲】
【請求項１】
マトリクス状に配列されたディスプレイで構築されるビデオウォールを含む、「フルシームレス」ビデオウォールシステムであって、
すべての隣接ディスプレイ間のシームは画素のある表示ストリップにより被覆され、すなわち「画素フルカバレッジ」になり、表示ストリップは、「画面間シーム」を被覆するとともに、「画面表面シーム」を被覆し、「結合」処理を行って「一体化」表示する領域であり、すなわち、２つの隣接ディスプレイにおける２本の「画面表面シーム」と１本の「画面間シーム」の性質、位置、付属本体が異なっても、分割して処理したり、分割して表示せず、すなわち、ディスプレイの「表示面領域」の間は１つの「一体化」表示ストリップで効果的に融合されて、元のビデオ画像を構成するようにすることを特徴とする「フルシームレス」ビデオウォールシステム。
【請求項２】
表示ストリップは、「十字」形状以外、「直角」形状をしてもよく、
マトリクス状に配列された複数の直角状表示ストリップはディスプレイ間のシームで構築されるグリッド線を被覆し、
「直角」状表示ストリップと「十字」状表示ストリップはともに、「結合」処理を行って「一体化」表示する領域であり、「画面間シーム」と「画面表面シーム」を同時に被覆することを特徴とする請求項１に記載の「フルシームレス」ビデオウォールシステム。
【請求項３】
「直角状表示ストリップ」は、既存のディスプレイの表示面領域と新しい表示領域を構成し、該表示領域は既存のディスプレイの表示面領域とオフセットになるか、又は元のディスプレイの本体とオフセットになり、
表示ストリップは、本体の境界内にある部分が対応したディスプレイの二つの隣辺である「額縁」を被覆し、本体の境界外にある部分の両辺が突起して「画面間シーム」を通り越し隣接する２つのディスプレイの「額縁」を被覆し、「直角状表示ストリップ」の対角にある「額縁」は別の２つの隣接スプライシング画面の「直角状表示ストリップ」で被覆されるようになり、さらに、「直角状表示ストリップ」は対応したディスプレイ上に集積されていることを特徴とする請求項２に記載の「フルシームレス」ビデオウォールシステム。
【請求項４】
新表示領域が、元のディスプレイの表示面領域の「直角状表示ストリップ」がない両辺の表示開始箇所を開始線として、ビデオ画像を新表示領域の「直角状表示ストリップ」付き境界へ「一方向」に拡大させて全表示させることを特徴とする請求項３に記載の「フルシームレス」ビデオウォールシステム。
【請求項５】
構築される「直角状表示ストリップ」の断面は「Ｔ」形構造であり、画素が「被覆」されたフレキシブル回路も「Ｔ」形であって、画素ドットマトリックスの中央部から下へ延伸していることを特徴とする請求項２に記載の「フルシームレス」ビデオウォールシステム。
【請求項６】
構築される「直角状表示ストリップ」の内側鋼板と、外側鋼板は、外側の上曲げ口が外向きで、内側の上曲げ口が内向きであり、それぞれ「掛合ピン」と「掛合ピン」により「保持層」に接続されて、「Ｔ」断面を構成し、
外側鋼板は、本体「境界外」へ回転して「保持層」の「掛合ピン」と分離して、フレキシブル回路及びその画素ドットマトリックスを取り外し、「掛合ピン」に掛合されて本体「境界内」へ回転し内側鋼板に締め付けられる時、「保持層」を「ロック」し、「保持層」がそれに対して上下、内外へずれたり、その水平部に対して偏向したりすることを防止し、それにより、安定した「Ｔ」形「直角状表示ストリップ」を構成して、ディスプレイ上に集積することを特徴とする請求項２に記載の「フルシームレス」ビデオウォールシステム。
【請求項７】
「保持層」は２色構造であり、本体が「乳白」色の光均一化・光透過材質であり、頂部及び両側の表面が「黒色」又は「略黒色」であり、
該黒色層は極めて薄いため、画素が発光しない時に「保持層」が「黒色」を示し、画素が発光する時に画素の明るさを完全に遮断することがなく、画素ドットマトリックスによるビデオ画像の十分な表示を確保することを特徴とする請求項６に記載の「フルシームレス」ビデオウォールシステム。
【請求項８】
「突起」が隣接スプライシング画面の「画面表面シーム」を十分に被覆して「噛み合う」ために、高精度位置決めシステムが設けられ、
本体の裏部構造には、上下、左右にそれぞれ２対の「突き合わせプラットフォーム」とそれぞれ２対の「ロックプラットフォーム」が設置されて、「水平画面」と「垂直画面」を取り付ける時の「位置決め」と「ロック」に用いられ、
「突き合わせプラットフォーム」内には、縦列画面間の「位置決め」と「接続」用の精密な「ガイドスリーブ」が取り付けられ、「ガイドピン」が「ガイドスリーブ」を貫通して、「ロックスリーブ」により「ガイドスリーブ」と「ガイドバー」を接続してディスプレイの縦列を貫通する「貫通軸」にし、取り付ける際、テーパーヘッド付きの「ガイドピン」が１つのディスプレイの「ガイドスリーブ」から隣接ディスプレイの「ガイドスリーブ」を貫通すると、該ディスプレイの「突起」は別の画面の「直角状表示ストリップ」の前部及び後部と正確に「噛み合い」、同時に、スプライシング時に該「突起」は破損することがないことを特徴とする請求項３に記載の「フルシームレス」ビデオウォールシステム。
【請求項９】
「スプライシング後のシームレス画面」の「フロントメンテナンス、フロント取付」時に、ビデオウォールの縦列は「列全体」又は「列全体の分割部」の垂直「貫通軸」をもって水平面内で回転して展開し、該縦列「突起」が垂直方向に「列全体」又は「列全体の分割部」として隣接縦列の「画面表面シーム」と分離するように、本体の前後部の取り付けやメンテナンス用の空間を形成し、
ビデオウォールの「列全体」又は「列全体の分割部」が水平面内において垂直「貫通軸」を巡って回転して展開するための強度と剛性を確保するために、本体の後部に「完全な額縁」構造が設置され、本体裏部のカバープレートを「せん断ウェブ」の「せん断構造」とし、
「貫通軸」と「ロックプラットフォーム」は、ビデオウォールの縦列を「縦列」がせん断に抵抗できるようにして、ディスプレイを損なうことなく「列全体」又は「列全体の分割部」として回転して展開できるようにすることを特徴とする請求項８に記載の「フルシームレス」ビデオウォールシステム。
【発明の詳細な説明】
【技術分野】
【０００１】
本発明はビデオウォールシステムの構築に関し、該システムは単一ディスプレイをスプライシングしてなり、スプライシングしたビデオウォールは「フルシームレス」になり、すなわち、ビデオウォールの全ての表示領域において「画素フルカバレッジ」が実現されて、「画面表面シーム」も「画面間シーム」もない表示システムになり、本発明で構築されたディスプレイは、「スプライシング後のシームレス画面」、すなわち「スプライシング前にシームあり」「スプライシング後にシームレス」なディスプレイである。
【背景技術】
【０００２】
現在、表示技術は仕事、日常生活、娯楽等の各種分野にとって不可欠なものになる。例えば、携帯電話、ｉＰａｄ（登録商標）、コンピュータ、テレビ、レジャーや娯楽用機器、輸送手段、ショッピングモールや公共の場所の指示や通知システム、オフィス機器、監視装置等の装置が挙げられる。
【０００３】
表示技術によってディスプレイの種類は多く、たとえば、投影、プラズマ、ＬＥＤ、液晶、ＯＬＥＤ、及びＱＬＥＤ（量子ドット）ディスプレイが挙げられる。従来、液晶ディスプレイは最も幅広く使用されているものであり、液晶ディスプレイの発展はデジタルハイビジョン（１９２０×１０８０）のビデオ規格を決定し、さらに４Ｋ超高精細（３８２０×２１６０）を可能にする。デジタルハイビジョン技術では、ＯＬＥＤ、ＱＬＥＤ（量子ドット）ディスプレイは、優秀な新技術として現われたが、次世代表示技術を盛んに発展させることが期待できる。
【０００４】
現在、デジタルハイビジョン、超高精細は主に液晶画面、ＯＬＥＤ、ＱＬＥＤ（量子ドット）ディスプレイ（本明細書では、「ディスプレイ」は液晶画面、ＯＬＥＤ画面、ＱＬＥＤ量子ドットディスプレイを含み、本発明の方法はこれら「ディスプレイ」に利用できる。そのうち、ＱＬＥＤはナノ量子で発光する「ディスプレイ」である）によって実現される。
【０００５】
従来、ディスプレイは主にテレビ、パソコンに用いられ、且つ１台にしか使用できない。表示技術の発展に伴い、液晶画面は１台しか使用できないという制限をなくして、単一液晶画面をスプライシングしてビデオウォールとした用途用として使用されてきて、それにつれて、液晶画面を用いた分野も急速に発展している。
【０００６】
しかし、より大寸法のデジタルハイビジョンディスプレイ、例えば、数百インチ（高さは数メートル、長さは数十メートル）のデジタルハイビジョンディスプレイは実現されにくい。一般的に１２０インチより大きい液晶画面は経済性が悪くなる。それは、原料、生産装置、工場、歩留まり、輸送や輸送のリスクにより価格が急激に上昇するためであり、このコストは、面積の大きさに応じて幾何級数的に高まり、そのため、合理的な経済性を失うため市場で広く受け入れられることができない。
【０００７】
今世紀の始めに、「スプライシング液晶画面」は出現して、普通のテレビに比べて、一般的に数ミリメートル程度の極「狭」「額縁」を有し、そのため、複数の「スプライシング液晶画面」をスプライシングして単一のものの面積より大きなビデオウォールを構築することができ、市場のニーズを満足できる。
【０００８】
「スプライシング液晶画面」は、極「狭」「額縁」以外、「スプライシング液晶画面」をスプライシングして得たビデオウォールの価格と面積に線形関係があり、すなわち単位面積の価格が一定であることを特徴とする。そのため、良好な経済性を有し、広く受け入れられることができ、各分野に適用できる。
【０００９】
デジタルハイビジョン、超高精細の液晶、ＯＬＥＤ、ＱＬＥＤディスプレイはいずれも、「表示面領域」内の画素にビデオ信号を伝送するため、「表示面領域」の周辺に信号伝送用の「伝送エッジ」を残す必要があり、これら「エッジ」が如何に「狭くても」、ビデオ画像の表示が不能である。さらに、ディスプレイの「表示面領域」は支持構造を必要とすることから、「構造額縁」も残される。「伝送エッジ」と「構造額縁」は通常、完全に重なることがなく、同時に両方ともに画素がなく、ビデオ画像を表示せず、本明細書では、「伝送エッジ」と「構造額縁」が重なって画素を持たず、ビデオ画像を表示しない「辺」を「画面表面シーム」と呼び、すなわち、信号伝送と構造固定のための「固有」の、ビデオウォールに「シーム」を発生させる「額縁」のことである。スプライシングしない場合にも、ディスプレイ表面において、このようなビデオ画像を表示できない「額縁」はもともと存在するものであり、本明細書では、このようなディスプレイは「シーム有りスプライシング画面」又は「シーム有りディスプレイ」と呼ばれ、このような「シーム」は「画面表面シーム」と呼ばれる。
【００１０】
一方、「画面表面シーム」はビデオウォールにおける画素の位置を占めるため、各単一「シーム有りディスプレイ」にビデオ画像を入力する時、まず、「画面表面シーム」がビデオ画像を表示できると仮定し、次にこれら「画面表面シーム」に入力しようとするビデオ信号を「カット」し、すなわち、まずビデオウォールに「画面表面シーム」がなく、「完全」にビデオ画像を放送できると「仮定」し、これら「画面表面シーム」に画素がなくて、ビデオ画像を表示できないことにより画素が「損失される」ものとする。さもないと、元のビデオ画像は「画面表面シーム」により「押されて」、ビデオ画像の「分割」や変形を引き起こしてしまう。
【００１１】
図１に示す「シーム有りディスプレイ」１０１は、「表示面領域」１０２、画素のない「画面表面シーム」１０３ａ、１０３ｂ、１０３ｃ及び１０３ｄから構成されるものであり、「シーム有りディスプレイ」１０１の外径境界は１０４に示される。
【００１２】
「シーム有りディスプレイ」１０１は独立して使用されて、図２のビデオ画像を表示した結果、図３に示すように、該ビデオ画像は「表示面領域」１０２にわたり表示されており、ビデオ信号の「損失」がないものの、該「シーム有りディスプレイ」１０１をスプライシングに用いると、元のビデオ画像は、「表示面領域」１０２自体だけに全表示されるのではなく、図４に示すように、拡大されてディスプレイの外径境界１０４内に含まれる「表示面領域」１０２と「画面表面シーム」１０３ａ、１０３ｂ、１０３ｃ及び１０３ｄに全表示されるべきである。
【００１３】
図４において、１０８、１０９、１１０、１１１、１１２、１１３、１１４位置でのビデオ画像は、「画面表面シーム」１０３ａ、１０３ｂ、１０３ｃ、１０３ｄと重なるので、ビデオウォール上の元のビデオ画像の「分割」がないように、信号入力時に「カット」しなければならない。このような画素がなくビデオ画像を表示しない「画面表面シーム」１０３ａ、１０３ｂ、１０３ｃ、１０３ｄは、ビデオウォールにおいて「ブラックシーム」を形成し、つまり、いわゆる「シーム有りスプライシング」のことである。
【００１４】
従って、「シーム有りディスプレイ」をスプライシングしてなるビデオウォールは、ビデオ画像を表示する時に、「画面表面シーム」上の元のビデオ画像の損失と元のビデオ画像の「分割」の両方を同時に回避することができない。さらに、いずれにしても、画素がなくビデオ画像がない「画面表面シーム」１０３はビデオウォールに発生することが不可避的なことである。
【００１５】
現在、この「画面表面シーム」を解決する方法は一般的に２種がある。
１．受動式（光学）方法：（スプライシング後）スプライシングエッジに別に「光学プリズム」を積層すること。「表示面領域」に「直交」してビデオウォールを見る場合は、「画面表面シーム」１０３は「光学プリズム」により縮小される（狭くなるが存在する）。その反面、該方法は、「表示面領域」に「直交」して見る以外の場合に、「画面表面シーム」１０３が拡大（広くなり、元の「シーム」よりも広くなる）されるという欠点を解消できない。重要なことに、「光学プリズム」が「画面表面シーム」１０３を「狭め」又は「広げても」、「画面表面シーム」１０３上の「損失」されたビデオ画像１０８〜１１４を回復するか、又はビデオ画像の分割を防止することができない。
２．主動式（電子）方法：「シーム有りディスプレイ」の「画面表面シーム」１０３ａ、１０３ｂ、１０３ｃ、１０３ｄ上に画素を直接「被覆」することによって、図５に示すように、画素がなくビデオ画像を表示できない「画面表面シーム」１０３をビデオ画像を表示可能な１１５ａ、１１５ｂ、１１５ｃ、１１５ｄに構築して、「損失」されたビデオ画像１０８〜１１４の表示を「回復」させる。本明細書では、該ディスプレイは「スプライシング前のシームレス画面」と呼ばれる。
【００１６】
この「スプライシング前のシームレス画面」の最も重要な特徴は、単一ディスプレイの外径内におけるすべての領域に元のビデオ画像の表示に対応した画素があることで、元のビデオ画像がディスプレイの外径内におけるすべての領域にわたって全表示できるようにすることにある。
【００１７】
勿論、主動式（電子）方法は、「シーム有りディスプレイ」の「画面表面シーム」の問題を確実に解決できる。
【００１８】
しかしながら、この「スプライシング前のシームレス画面」は、単一ディスプレイを対象として「シームレス化」の問題を解決するため、ディスプレイを「スプライシング」してビデオウォールにする場合の「スプライシングクリアランス」の問題を解決できず、それは、実際に実現できない、「スプライシング前のシームレス画面」の間の表示境界が「スプライシング」によって「シームレス噛合」を実現して視認不能にすることを前提とするためである。
【００１９】
図６に示すように、「スプライシングクリアランス」とは、複数の独立したディスプレイをスプライシングしてビデオウォールを構築する場合に、図６における１０５のダッシュ領域に示すように、独立したディスプレイ間の境界１０４が「密着して噛み合う」ことができないことにより発生する「シーム」を指す。或いは、この「シーム」は、スプライシングビデオウォール寸法（少ない場合は十数台、多い場合は数十台または何百台の独立したディスプレイをスプライシングする）が大きすぎることによるクリアランス、又は温度変化等の要因のために予め残されたクリアランス、又は独立したディスプレイの外径境界の誤差によるクリアランス等を指す。この「スプライシングクリアランス」は画素がないため、ビデオ画像を表示できず、通常、「ブラックシーム」として示される。本明細書では、「画面表面シーム」と区別するために、このような「スプライシングクリアランス」は「画面間シーム」と呼ばれる。
【００２０】
上記「画面間シーム」の問題は、「シーム有りディスプレイ」をスプライシングしてなるビデオウォールの場合に、図６、７に示すように、画素がなくビデオを表示できない「画面表面シーム」を広くするもの（取り付けるために、画面と画面の間に特に隙間を残す）に過ぎず、まだ深刻ではない。
【００２１】
しかし、上記「画面間シーム」は、図８に示すように、「スプライシング前のシームレス画面」をスプライシングしてなるビデオウォールでは、周囲にビデオが表示されていることにより「強調表示」になり、「シームレスディスプレイ」の本来の意図に違反する新しい「ブラックシーム」を発生させ、図９に示すように、その表示効果の「改善」は困難になる。明らかなように、「スプライシング前のシームレス画面」自体は画像を表示できない領域がないものの、「画面間シーム」１０５の存在により、「スプライシング前のシームレス画面」は「シーム有りディスプレイ」になり、以前の努力が無駄になってしまう。ただし、このシームはディスプレイ「固有」の「画面表面シーム」でなく、スプライシング時に「画面間隙間」により生じたものである。従って、このような「スプライシング前のシームレス画面」は「画面間シーム」の問題を解決できない。
【発明の概要】
【発明が解決しようとする課題】
【００２２】
本発明の目的は、ビデオウォールにシームが現れるという従来技術の問題を解決するために、単一ディスプレイを研究対象とした場合の制限を解消して、ビデオウォールを対象として「画素フルカバレッジ」の「フルシームレス」表示システムを構築することにある。
【課題を解決するための手段】
【００２３】
本発明は、マトリクス状に配列されたディスプレイで構築されるビデオウォールを含む「フルシームレス」ビデオウォールシステムであって、すべての隣接ディスプレイ間のシームは画素のある表示ストリップにより被覆され、すなわち「画素フルカバレッジ」になり、表示ストリップは、「画面間シーム」を被覆するとともに、「画面表面シーム」を被覆し、「結合」処理を行って「一体化」表示する領域であり、すなわち、２つの隣接ディスプレイにおける２本の「画面表面シーム」と１本の「画面間シーム」の性質、位置、付属本体が異なっても、分割して処理したり、分割して表示せず、すなわち、ディスプレイの「表示面領域」の間は１つの「一体化」表示ストリップで効果的に融合されて、元のビデオ画像を構成するようにすることを特徴とするシステムを設計する。表示ストリップは、「十字」形状以外、「直角」形状をしてもよく、マトリクス状に配列された複数の直角状表示ストリップはディスプレイ間のシームで構成されるグリッド線を被覆し、「直角」状表示ストリップと「十字」状表示ストリップはともに、「結合」処理を行って「一体化」表示する領域であり、「画面間シーム」と「画面表面シーム」を同時に被覆する。「直角状表示ストリップ」は、既存のディスプレイの表示面領域と新しい表示領域を構成し、該表示領域は既存のディスプレイの表示面領域とオフセットになるか、又は元のディスプレイの本体とオフセットになり、表示ストリップは、本体の境界内にある部分が対応したディスプレイの二つの隣辺である「額縁」を被覆し、本体の境界外にある部分の両辺が突起して「画面間シーム」を通り越し隣接する２つのディスプレイの「額縁」を被覆し、「直角状表示ストリップ」の対角にある「額縁」は別の２つの隣接スプライシング画面の「直角状表示ストリップ」で被覆されるようになり、さらに、「直角状表示ストリップ」は対応したディスプレイ上に集積されている。新表示領域が、元のディスプレイの表示面領域の「直角状表示ストリップ」がない両辺の表示開始箇所を開始線として、ビデオ画像を新表示領域の「直角状表示ストリップ」付き境界へ「一方向」に拡大させて全表示させる。構築される「直角状表示ストリップ」の断面は「Ｔ」形構造であり、画素が「被覆」されたフレキシブル回路も「Ｔ」形であって、画素ドットマトリックスの中央部から下へ延伸している。構築される「直角状表示ストリップ」の内側鋼板と、外側鋼板は、外側の上曲げ口が外向きで、内側の上曲げ口が内向きであり、それぞれ「掛合ピン」と「掛合ピン」により「保持層」に接続されて、「Ｔ」断面を構成し、外側鋼板は、本体「境界外」へ回転して「保持層」の「掛合ピン」と分離して、フレキシブル回路及びその画素ドットマトリックスを取り外し、「掛合ピン」に掛合されて本体「境界内」へ回転し内側鋼板に締め付けられる時、「保持層」を「ロック」し、「保持層」がそれに対して上下、内外へずれたり、その水平部に対して偏向したりすることを防止し、それにより、安定した「Ｔ」形「直角状表示ストリップ」を構成して、ディスプレイ上に集積する。「保持層」は２色構造であり、本体が「乳白」色の光均一化・光透過材質でありであり、頂部及び両側の表面が「黒色」又は「略黒色」であり、該黒色層は極めて薄いため、画素が発光しないときに「保持層」が「黒色」を示し、画素が発光する時に画素の明るさを完全に遮断することがなく、画素ドットマトリックスによるビデオ画像の十分な表示を確保する。
【００２４】
「突起」が隣接スプライシング画面の「画面表面シーム」を十分に被覆して「噛み合う」ために、高精度位置決めシステムが設けられ、本体の裏部構造には、上下、左右にそれぞれ２対の「突き合わせプラットフォーム」とそれぞれ２対の「ロックプラットフォーム」が設置されて、「水平画面」と「垂直画面」を取り付ける時の「位置決め」と「ロック」に用いられる。「突き合わせプラットフォーム」内には、縦列画面間の「位置決め」と「接続」用の精密な「ガイドスリーブ」が取り付けられ、「ガイドピン」が「ガイドスリーブ」を貫通して、「ロックスリーブ」により「ガイドスリーブ」、「ガイドバー」を接続してディスプレイ縦列を貫通する「貫通軸」に構築して、取り付ける際、テーパーヘッド付きの「ガイドピン」が１つのディスプレイの「ガイドスリーブ」から隣接ディスプレイの「ガイドスリーブ」を貫通すると、該ディスプレイの「突起」は別の画面の「直角状表示ストリップ」の前部と後部に正確に「噛み合い」、同時に、スプライシング時に該「突起」は破損することがないことを特徴とする。「スプライシング後のシームレス画面」の「フロントメンテナンス、フロント取付」時に、ビデオウォールの縦列は「列全体」又は「列全体の分割部」の垂直「貫通軸」をもって水平面内で回転して展開し、該縦列「突起」が垂直方向に「列全体」又は「列全体の分割部」として隣接縦列の「画面表面シーム」と分離するように、本体の前後部の取り付けやメンテナンス用の空間を形成する。ビデオウォールの「列全体」又は「列全体の分割部」が水平面内で垂直「貫通軸」を巡って回転して展開するための強度と剛性を確保するために、本体の後部に「完全な額縁」構造が設置され、本体裏部のカバープレートを「せん断ウェブ」の「せん断構造」とし、「貫通軸」と「ロックプラットフォーム」は、ビデオウォールの縦列を「縦列」がせん断に抵抗できるようにして、ディスプレイを損なうことなく、「列全体」又は「列全体の分割部」として回転して展開できるようにする。
【００２５】
具体的には、本発明の「フルシームレス」ビデオウォールシステムのコアシステムは、マトリクス状に配列されたディスプレイで構築されるビデオウォールを含み、すべての隣接ディスプレイ間のシームは「表示ストリップ」により被覆され、「シーム有りディスプレイ」の場合に、図１０に示すように、さらに隣接する２つのディスプレイを「被覆」する２本の「額縁」を含み、「表示ストリップ」１７の幅７は隣接ディスプレイ間の「クリアランス」（たとえば、図６における１０５）、及び隣接ディスプレイの２本の「額縁」の計３本の「シーム」の和以上であることを特徴とする。図１１に示すように、「表示ストリップ」１７に画素を「埋め込んで」、上記３本の「シーム」に対し「結合処理」、「一体化表示」を行い、すなわち、上記３本の「シーム」（３本の「シーム」とは、３ａ、図６における１０５及び３ｂ、又は、３ｃ、図６における１０５及び３ｄを意味する）の性質、位置、付属本体が異なっても、分割して処理したり、分割して表示したりすることがない。このように、ディスプレイの「表示面領域」２は、１つの「一体化」された「表示ストリップ」１７で効果的に「融合」されて、元のビデオ画像を構成するものであり、独立して製作すること、異なる本体に属すること、画像が切れてスプライシングして表示すること、「シーム」と「シーム」の間のビデオ画像の「融合」が困難であること、「画面間のクリアランス」を克服できないこと（たとえば、図６における１０５）等の従来技術の欠点を本質的に解決する。
【００２６】
ビデオウォールの「シーム」に「表示ストリップ」１７を「被覆」するために、「表示ストリップ」は上記「十字」形状以外、「直角」形状をしてもよく、すなわち、図１２に示すように、すべての隣接ディスプレイ間の「シーム」は、マトリクス状に配列された複数の「直角状表示ストリップ」１７により「被覆」される。「直角状表示ストリップ」１７の両辺の幅（たとえば、図１１における７）は隣接ディスプレイ間の「クリアランス」（たとえば、図６における１０５）、及び２つのディスプレイの２本の「額縁」の計３本の「シーム」の幅の和以上であり、「直角状表示ストリップ」の両辺の長さは隣接ディスプレイの別の「直角状表示ストリップ」に接続される程度である。「直角状表示ストリップ」は、両辺の内側が対応したディスプレイ１の２つの隣辺の「額縁」３ａ、３ｄを「被覆」し、外側の両辺が対応したディスプレイ１の外径境界４から「突出」して、２本の「突起」を形成し、「画面間シーム」（たとえば、図６における１０５）を「通り越し」隣接する２つのディスプレイ６の「額縁」３ｂ、３ｃを「被覆」し、「直角状表示ストリップ」の対角にある「額縁」３ｂ、３ｃは、別の２つの隣接スプライシング画面６の「直角状表示ストリップ」１７により「被覆」されるようになり、さらに、「直角状表示ストリップ」１７は対応したディスプレイ１上に集積されていることを特徴とする。スプライシングしたビデオウォールは図１３に示される。
【００２７】
このように、図１４に示すように、「直角状表示ストリップ」１７と対応したディスプレイ１の「表示面領域」２とは「新」表示領域を構成する。新表示領域は対応したディスプレイ１の元の「表示面領域」２と「ずれたり」、「オフセット」になったりし、さらに図６における「画面間シーム」１０５を含み、図１５に示すように、「シーム有りスプライシング画面」又は「スプライシング前のシームレス画面」のように、中心から周辺へ拡大させて全表示させる場合（図４、５参照）と異なり、新表示領域は、元の「表示面領域」２の「直角状表示ストリップ」がない両辺３ｂ、３ｃの表示開始箇所を開始線として、ビデオ画像を新表示領域の「直角状表示ストリップ」１７付きの境界へ「一方向」に拡大されて全表示させるものであることを特徴とする。
【発明の効果】
【００２８】
「表示ストリップ」に「埋め込んだ」画素は、ＬＥＤドットマトリックス、ＯＬＥＤ、ＱＬＥＤストリップで構成されて、対応した表示電子回路により制御されてもよい。「表示ストリップ」の厚みは一般的に１〜３ミリメートル程度に制御され、数メートル又は数十メートルの幅を有するビデオウォールの場合には、１〜３メートル離れた距離で見ると、「表示ストリップ」１７と「表示面領域」２の高さ差は１／１０００程度であり、優れた「フルシームレス」表示効果は達成できる。
【００２９】
説明の便宜上、本明細書では、「表示ストリップ」がディスプレイの左上隅に「被覆」されているが、本発明の方法において、ディスプレイの任意の一隅に「被覆」されてもよい。
【図面の簡単な説明】
【００３０】
【図１】「シーム有りスプライシング画面」及びその「画面表面シーム」の模式図である。
【図２】元のビデオ画像の一例である。
【図３】元のビデオ画像を単一「シーム有りディスプレイ」に表示する場合の模式図である。
【図４】元のビデオ画像をスプライシング用「シーム有りディスプレイ」に表示する場合の模式図である。
【図５】元のビデオ画像を「スプライシング前のシームレス画面」に表示する場合の模式図である。
【図６】ディスプレイのスプライシング時に発生する「画面間シーム」の模式図である。
【図７】元のビデオ画像を「画面表面シーム」と「画面間シーム」があるビデオウォールに表示する場合の模式図である。
【図８】「画面間シーム」のある「スプライシング前のシームレス画面」をスプライシングしてなるビデオウォールの模式図である。
【図９】元のビデオ画像を「画面間シーム」のある「スプライシング前のシームレス画面」のビデオウォールにおいて放送する場合の模式図である。
【図１０】本発明によるビデオウォールにおいて表示ストリップがシームを「完全に被覆」した場合の模式図である。
【図１１】本発明による表示ストリップが「被覆」されたビデオウォールに元のビデオ画像を放送する場合の模式図である。
【図１２】本発明による「直角」状表示ストリップが「完全に被覆」されたビデオウォールの模式図である。
【図１３】本発明による「直角」状表示ストリップが「完全に被覆」されたビデオウォールに元のビデオ画像を表示する場合の模式図である。
【図１４】本発明による「直角」状表示ストリップを元のディスプレイに複合した場合の模式図である。
【図１５】本発明による「直角」状表示ストリップと元のディスプレイの表示面領域で構成された新表示領域の表示模式図である。
【図１６】本発明の新表示領域と元のディスプレイの表示面領域がオフセットになった場合の模式図である。
【図１７】本発明による「スプライシング後のシームレス画面」のスプライシング断面の模式図である。
【図１８】本発明による「スプライシング後のシームレス画面」の背面模式図である。
【図１９】本発明のスプライシング時の背面模式図である。
【図２０】「シーム有りスプライシング画面」の断面模式図である。
【図２１】本発明による「Ｔ」形「画素カバレッジ」における画素ドットマトリックスとフレキシブル回路の断面模式図である。
【図２２】本発明による「Ｔ」形「画素カバレッジ」における「保持層」の断面模式図である。
【図２３】本発明による「Ｔ」形「画素カバレッジ」における内鋼板、外鋼板の断面模式図である。
【図２４】本発明による「保持層」において外鋼板が「掛合」したり「取り外したり」する場合の断面模式図である。
【図２５】本発明の「画素カバレッジ」がディスプレイに集積された場合の断面模式図である。
【図２６】本発明による「スプライシング後のシームレス画面」に隣接ディスプレイをスプライシングする前の模式図である。
【図２７】本発明による「スプライシング後のシームレス画面」と隣接ディスプレイスとをプライシングした後の模式図である。
【図２８】本発明による「スプライシング後のシームレス画面」、「突き合わせプラットフォーム」及び「完全な額縁」の模式図である。
【図２９】本発明による「スプライシング後のシームレス画面」「ガイドスリーブ」、「ガイドピン」の模式図である。
【図３０】本発明による「ガイドピン」が「ガイドスリーブ」を貫通した時の模式図である。
【図３１】本発明による「スプライシング後のシームレス画面」の「ガイドピン」が上スプライシング画面と下スプライシング画面を貫通した時の背面模式図である。
【図３２】本発明による「スプライシング後のシームレス画面」のスプライシング時の前部と後部が「噛み合って」位置決めするための寸法を制御するための模式図である。
【図３３】本発明による「スプライシング後のシームレス画面」の「突起」と隣接ディスプレイが「噛み合う」ときの模式図である。
【図３４】本発明による「スプライシング後のシームレス画面」と隣接ディスプレイとをスプライシングした後の模式図である。
【図３５】本発明による「貫通軸」の模式図である。
【図３６】本発明による「完全な額縁」の「せん断抵抗」及びそれが左側「貫通軸」を巡って回転する時の模式図である。
【図３７】本発明の縦列「せん断」模式図である。
【図３８】本発明による「スプライシング後のシームレス画面」の縦列回転模式図である。
【図３９】本発明による「突起」と隣接ディスプレイの「画面表面シーム」が「分離」する時の模式図である。
【図４０】本発明による「スプライシング後のシームレス画面」の縦列裏面でメンテナンス用空間を形成した場合の模式図である。
【発明を実施するための形態】
【００３１】
マトリクス状に配列されたディスプレイで構築されるビデオウォールを含む「フルシームレス」ビデオウォールシステムであって、すべての隣接ディスプレイ間のシームは画素のある表示ストリップにより被覆され、すなわち「画素フルカバレッジ」になり、表示ストリップは、「画面間シーム」を被覆するとともに、「画面表面シーム」を被覆し、「結合」処理を行って「一体化」表示する領域であり、すなわち、２つの隣接ディスプレイにおける２本の「画面表面シーム」と１本の「画面間シーム」の性質、位置、付属本体が異なっても、分割して処理したり、分割して表示せず、すなわち、ディスプレイの「表示面領域」の間は１つの「一体化」表示ストリップで効果的に融合されて、元のビデオ画像を構成するようにすることを特徴とする。表示ストリップは、「十字」形状以外、「直角」形状をしてもよく、マトリクス状に配列された複数の直角状表示ストリップはディスプレイ間のシームで構成されるグリッド線を被覆し、「直角」状表示ストリップと「十字」状表示ストリップはともに、「結合」処理を行って「一体化」表示する領域であり、「画面間シーム」と「画面表面シーム」を同時に被覆する。「直角状表示ストリップ」は、既存のディスプレイの表示面領域と新しい表示領域を構成し、該表示領域は既存のディスプレイとオフセットになるか、又は元のディスプレイの本体とオフセットになり、表示ストリップは、本体の境界内にある部分が対応したディスプレイの二つの隣辺である「額縁」を被覆し、本体の境界外にある部分の両辺が突起して「画面間シーム」を通り越し隣接する２つのディスプレイの「額縁」を被覆し、「直角状表示ストリップ」の対角にある「額縁」は別の２つの隣接スプライシング画面の「直角状表示ストリップ」で被覆されるようになり、さらに、「直角状表示ストリップ」は対応したディスプレイ上に集積されている。新表示領域が、元のディスプレイの表示面領域の「直角状表示ストリップ」がない両辺の表示開始箇所を開始線として、ビデオ画像を新表示領域の「直角状表示ストリップ」付き境界へ「一方向」に拡大させて全表示させる。構築される「直角状表示ストリップ」の断面は「Ｔ」形構造であり、画素が「被覆」されたフレキシブル回路も「Ｔ」形であって、画素ドットマトリックスの中央部から下へ延伸している。構築される「直角状表示ストリップ」の内側鋼板と、外側鋼板は、外側の上曲げ口が外向きで、内側の上曲げ口が内向きであり、それぞれ「掛合ピン」と「掛合ピン」により「保持層」に接続されて、「Ｔ」断面を構成し、外側鋼板は、本体「境界外」へ回転して「保持層」の「掛合ピン」と分離して、フレキシブル回路及びその画素ドットマトリックスを取り外し、「掛合ピン」に掛合されて本体「境界内」へ回転して内側鋼板に締め付けられる時、「保持層」を「ロック」し、「保持層」がそれに対して上下、内外へずれたり、その水平部に対して偏向したりすることを防止し、それにより、安定した「Ｔ」形「直角状表示ストリップ」を構成して、ディスプレイ上に集積する。「保持層」は２色構造であり、本体が「乳白」色の光均一化・光透過材質であり、頂部及び両側の表面が「黒色」又は「略黒色」であり、該黒色層は極めて薄いため、画素が発光しないときに「保持層」が「黒色」を示し、画素が発光する時に画素の明るさを完全に遮断することがなく、画素ドットマトリックスによるビデオ画像の十分な表示を確保する。「突起」が隣接スプライシング画面の「画面表面シーム」を十分に被覆して「噛み合う」ために、高精度位置決めシステムが設けられ、本体の裏部構造には、上下、左右にそれぞれ２対の「突き合わせプラットフォーム」とそれぞれ２対の「ロックプラットフォーム」が設置されて、「水平画面」と「垂直画面」を取り付ける時の「位置決め」と「ロック」に用いられる。「突き合わせプラットフォーム」内には、縦列画面間の「位置決め」と「接続」用の精密な「ガイドスリーブ」が取り付けられ、「ガイドピン」が「ガイドスリーブ」を貫通して、「ロックスリーブ」により「ガイドスリーブ」と「ガイドバー」を接続してディスプレイの縦列を貫通する「貫通軸」に構築して、取り付ける際、テーパーヘッド付きの「ガイドピン」が１つのディスプレイの「ガイドスリーブ」から隣接ディスプレイの「ガイドスリーブ」を貫通すると、該ディスプレイの「突起」は別の画面の「直角状表示ストリップ」の前部及び後部と正確に「噛み合い」、同時に、スプライシング時に該「突起」は破損することがないことを特徴とする。「スプライシング後にシームレス画面」の「フロントメンテナンス、フロント取付」時に、ビデオウォールの縦列は「列全体」又は「列全体の分割部」の垂直「貫通軸」をもって水平面内で回転して展開し、該縦列「突起」が垂直方向に「列全体」又は「列全体の分割部」として隣接縦列の「画面表面シーム」から分離するように、本体の前後部の取り付けやメンテナンス用の空間を形成する。ビデオウォールの「列全体」又は「列全体の分割部」が水平面内において垂直「貫通軸」を巡って回転して展開するための強度と剛性を確保するために、本体の後部に「整額縁」構造が設置され、本体裏部のカバープレートを「せん断ウェブ」の「せん断構造」とし、「貫通軸」と「ロックプラットフォーム」は、ビデオウォールの縦列を「縦列」がせん断に抵抗できるようにして、ディスプレイを損なうことなく、「列全体」又は「列全体の分割部」が回転して展開できるようにする。
【００３２】
本発明を実施するにあたって、図１６に示すように、「直角状表示ストリップ」１７を製造し、「直角状表示ストリップ」１７の両辺内側１５ａ、１５ｄを対応したディスプレイ１の二つの隣辺である「額縁」３ａ、３ｄ（重なるため、未図示）に「被覆」して、外側両辺１６ａ、１６ｄを対応したディスプレイ１の本体の外径境界４から突出させて、「画面間シーム」（たとえば、図６における１０５）を「通り越して」隣接する２つのディスプレイ６の「額縁」３ｂ、３ｃを「被覆」するための２本の「突起」を形成し、「直角状表示ストリップ」の対角にある「額縁」３ｂ、３ｃを、別の２つの隣接スプライシング画面６の「直角状表示ストリップ」１７で「被覆」し、さらに「直角状表示ストリップ」１７を対応したディスプレイ１上に集積する。１５ａと１６ａ（１５ｄと１６ｄは同様）の全幅は３ａ（たとえば、図６における１０５）と３ｂの幅の和以上（１５ａと１６ａは、１５ｄと１６ｄと同様に、「十字」又は「直角」状「表示ストリップ」１７の「一体化」のために分割できないパーツであり、本明細書では、説明の便宜上、ディスプレイの本体の外径境界４でそれらを分ける）である。本発明の方法で構築されたビデオウォールは、表示面領域において「画面表面シーム」３ａ、３ｂ、３ｃ、３ｄも「画面間シーム」（たとえば、図６における１０５）もない「画素フルカバレッジ」表示システムである。図１６における画素が「被覆」されていない２本の隣接エッジ３ｂ、３ｃを除く。ただし、この２本のエッジはビデオウォールの最外側に「移動」しており、すなわちビデオウォールの表示領域外に位置する。
【００３３】
図１７に示すように、本発明は、断面が「Ｔ」形の「直角状表示ストリップ」１７を製造して、ディスプレイ１の左上隅に複合し、本体の内側１５ａ、１５ｄで対応したディスプレイ１の「画面表面シーム」３ａ、３ｄを完全に「被覆」して、外側を該ディスプレイの本体の外径境界４から「突出」させてなる「突起」１６ａ、１６ｄは（ａ）隣接ディスプレイ６の「画面表面シーム」３ｂ、３ｃと、（ｂ）発生可能な「画面間シーム」（たとえば、図６における１０５）の全幅を十分に被覆でき、つまり、たとえば図６における１０５である「画面間シーム」は「画素フルカバレッジ」になり、このように構築されたディスプレイは、「スプライシング後のシームレス画面」であることを特徴とする。ここで、１５ｄ、１６ｄ、３ｃは断面が垂直であるため図未されていない。明瞭に説明するために、１７と３ａ、３ｂの上下方との間に空白を残したが、実際に実施する時、それらは密着されたものである。
【００３４】
「スプライシング後のシームレス画面」（背面図）では、図１８に示すように、４はディスプレイ１の本体の外径境界、１６ａ、１６ｄは「直角状表示ストリップ」の「突起」、図１８における１８、１９は「直角状表示ストリップ」１７の、別の「スプライシング後のシームレス画面」の「直角状表示ストリップ」１７と噛み合う位置にある「短口」である。このように、本発明の「スプライシング後のシームレス画面」の「画面間シーム」（図６における１０５）は、「突起」１６ａ、１６ｄの背後のディスプレイの本体の外径境界４に近い位置にあることから、ビデオウォールの正面から視認できず、図１９に示すように、「画面間シーム」が「画素フルカバレッジ」になる目的を達成させ、根本的に「画面間シーム」の問題を解決する。
【００３５】
実際に実施する際、図２０に示すように、ディスプレイの典型的な断面は１に示すとおりであり、ここで、２はディスプレイの「表示面領域」、２０は信号伝送、画素表示制御用のビデオ信号の「伝送エッジ」、２１はディスプレイパネル２をディスプレイ１に保持するとともに画素回路２３を保護するための「構造額縁」、２２は締め具、２３はディスプレイ２の表示電子回路である。そのうち、２０と２１が「重なった」後の幅は「画面表面シーム」３ａになる。
【００３６】
図２１に示すように、「Ｔ」形「直角状表示ストリップ」１７を製造する場合に、本発明では、フレキシブル回路は「Ｔ」形をしており、２５は「埋め込んだ」画素（これら画素はＬＥＤドットマトリックス、ＯＬＥＤ、ＱＬＥＤストリップで構成されてもよい）、２６は、画素ドットマトリックスの側辺でなく画素ドットマトリックスの中央部から下へ延伸していることを特徴とする、これら画素を駆動するためのフレキシブル回路であることは特徴である。「直角状表示ストリップ」１７をディスプレイ１に複合するために、その頂部に「保持層」２７が配置されている。さらに、「保持層」２７の左側（内側）には、所定の間隔を開けた「ピン」３１は１列、その右側（外側）には所定の間隔を開けた「掛合ピン」３２（「凹溝」でないことから、「掛合ピン」と呼ばれる）は１列設置されている。
【００３７】
図２２に示すように、本発明では、該「保持層」２７は２色構造であり、本体が２７ａなどの「乳白」色の光均一化・光透過材質（光均一化と光透過の比率は所望した表示効果に応じて調整できる）であり、２７ｂのように、その頂部及び両側表面が「黒色」又は「略黒色」である。この黒色層は極めて薄いため、画素が発光しない時に「保持層」２７が「黒色」を示し、画素が発光する時に画素の明るさを完全に遮断することがなく、これら画素ドットマトリックスによるビデオ画像の十分な表示を確保することを特徴とする。
【００３８】
このように、該「保持層」の本体２７ａは、画素を「点表示」から「面表示」に変換し、同時にその表面黒色層２７ｂはビデオ画像のコントラストを向上させ、ビデオ画像中の「黒色」要素を十分に表示できる。この場合、「単色構造」（本体と表面はともに黒色である）を用いた材質よりも、さらに透明で、真切であり、さらに、該黒色層２７ｂは極めて薄いため、単色構造に比べて、表面の色はさらに黒くなり、コントラストは一層向上できる。
【００３９】
図２３に示すように、「直角状表示ストリップ」１７をディスプレイ１上に集積するために、その内側と外側に十分に薄いアングル鋼３３、３４が設置されている。本発明では、二層のアングル鋼は、上曲げ口の内側が内向きで、外側が外向きであり、垂直辺が互いに接近すると、それにおける内曲げ口、外曲げ口と「Ｔ」形を形成することを特徴とする。内側鋼板３３の内向きの曲げ口に貫通孔が開けられており、「保持層」２７の内側にある１列の「ピン」３１は曲げ口上の貫通孔を一対一対応して貫通して、ホットプレスにより貫通孔に接続され、外側鋼板３４の曲げ口にも、「保持層」２７の外側にある１列の「掛合ピン」３２に一対一対応した貫通孔が開けられており、外側鋼板３４が「保持層」２７の外側にある１列の「掛合ピン」３２に沿ってディスプレイ１の「境界外」へ所定角度回転すると、図２４の３４に示すように、外側鋼板３４は「保持層」２７の「掛合ピン」３２と分離して取り外されることができ、逆には、外側鋼板３４が「保持層」２７の外側にある１列の「掛合ピン」３２に掛合されてディスプレイの「境界内」へ所定角度回転し、内側鋼板３３に近づいて締め付けられた時、「保持層」２７はその下方にある内側鋼板、外側鋼板３３、３４により強力に「ロック」され、すなわち、「保持層」２７はその下方にある鋼板に対して上下、内外へずれたり、その下方にある鋼板の水平部に対して偏向したりすることがなく、それにより、安定した「Ｔ」形構造は構成されている。
【００４０】
外側鋼板３４が「保持層」２７と強力な「Ｔ」形構造を形成できるとともに、簡単に着脱できることによって、内側鋼板、外側鋼板３３、３４の間に「画素及びフレキシブル回路」２５、２６を挿入したり抜き出したりすることを可能にし、さらに製造や組立及び使用やメンテナンスを実施可能にする。
【００４１】
図２５に示すように、本発明の方法で製造された「Ｔ」形「直角状表示ストリップ」１７は、その内側１５ａ、１５ｄが元のディスプレイ１の２本の隣接する「画面表面シーム」３ａ、３ｄ（未図示）を被覆して、且つ画素ドットマトリックス２５に接続されたフレキシブル回路２６を制御電子回路２８（通常、ディスプレイ本体の後部に配置される）上に接続するように、締め具２２により元のディスプレイ１に固定されている。
【００４２】
図２６に示すように、本発明の方法は、ディスプレイ１自体の隣接両辺に「直角状表示ストリップ」１５ａ、１５ｄを「被覆」する以外、２本の「突起」１６ａ、１６ｄ（未図示）を形成して、隣接スプライシング画面６における３ｂ及び３ｃと、該「突起」１６ａ、１６ｄの裏面においてスプライシングしてビデオウォールを構築することによって、「画素フルカバレッジ」を実現する。
（注：１５ｄ、１６ｄ、３ｃの断面は例示の図に直交するため、未図示）
【００４３】
スプライシング後の様子は図２７に示されるとおりである。５はビデオウォールの「画面間シーム」であり、この「画面間シーム」を「突起」１６ａ、１６ｄの背後のディスプレイの外径境界４に近い位置に位置させることにより、「画面間シーム」５（すなわち図６における１０５）は「画素フルカバレッジ」になるという目的は実現される。
【００４４】
図２５、２７に示すように、「突起」１６ａ、１６ｄを含む「スプライシング後のシームレス画面」は「オフセット」画面である。図６に示すように、ディスプレイ１０１における「表示面領域」１０２の横方向幅、縦方向高さをそれぞれＨＤ０、ＶＤ０、スプライシングする隣接画面の両辺の「画面表面シーム」１０３ａ〜１０３ｄとその発生可能な「画面間シーム」１０５の全幅度１０７の横方向、縦方向をそれぞれＧＨ、ＧＶとして設定すれば、
新しい「表示面領域」の外径寸法は以下のとおりである。
横方向：ＨＤ１＝ＨＤ０＋ＧＨ
縦方向：ＶＤ１＝ＶＤ０＋ＧＶ
表示中心のオフセット
横方向：ＧＨ／２
縦方向：ＧＶ／２
（式中、Ｄは「表示面領域」、０、１はそれぞれ元のディスプレイ、「スプライシング後のシームレス画面」である）。「直角状表示ストリップ」１７と対応したディスプレイ１の「表示面領域」２とは「新」表示領域を構成し、この新表示領域は対応したディスプレイ１の元の「表示面領域」２と「ずれており」、又は「オフセット」になり、図１５に示すように、新表示領域でのビデオ画像表示は元の「表示面領域」２の「直角状表示ストリップ」がない両辺３ｂ、３ｃの表示開始箇所を開始線として、ビデオ画像を新表示領域の「直角状表示ストリップ」１７付きの境界へ「一方向」に拡大させて全表示させるものであることは特徴である。
【００４５】
本発明による「スプライシング後のシームレス画面」を用いてスプライシングする時、図２７におけるディスプレイ１の「突起」１６ａ、１６ｄと隣接スプライシング画面６の両辺３ｂ、３ｃは正確に噛み合い、「画素フルカバレッジ」の表示効果を実現するために、スプライシング時に位置決めシステムが必要である。
【００４６】
該位置決めシステムは、「自立式」、「吊り下げ式」及び「壁掛け式」スプライシング方式のいずれにも正確に位置決めする役割を果たす。
【００４７】
「自立式」スプライシング方式とは、ビデオウォールがそのベースよる支持下で自立でき、地面から４メートル程度離れた高さでは周囲により支持されなくてもよい方式であり、ビデオウォールの周辺には、取り付けや使用やメンテナンスのためにアプローチ、操作用の空間があることを特徴とする。
【００４８】
「吊り下げ式」スプライシング方式とは、ビデオウォールが地面から離れて、上から下へ吊り下げられる方式である。
【００４９】
「壁掛け式」スプライシング方式とは、壁面を主な支持構造としてビデオウォールを取り付ける方式であり、一般的に、ビデオウォールの背後に操作者が入って取り付けたりメンテナンスをするための空間がないことを特徴とし、通常、前（部）取り付け、前（部）メンテナンス（「フロント取付」、「フロントメンテナンス」）と呼ばれる。
【００５０】
本発明では、「自立式」スプライシング用の位置決めシステムは以下のとおりである。
１）画面と画面の側面スプライシング寸法は、「突き合わせプラットフォーム」による位置決め方式により制御される。
２）画面と画面の前後スプライシング寸法は、「ガイドピン・ガイドスリーブ」位置決め方式により制御される。
【００５１】
図２８に示すように、ディスプレイの側面の外径境界４、「直角状表示ストリップ」１７及びその「突起」１６は「完全な額縁」構造３７に固定して取り付けられ、３５は側面スプライシング寸法を制御するための「突き合わせプラットフォーム」であり、上下に２対、左右に２対が設置されるように、ディスプレイの四隅の裏面に配置されており、それぞれ「水平画面」又は「垂直画面」をスプライシングする時に側面スプライシング寸法を制御するものであり、３６は、上下、左右「突き合わせプラットフォーム」を貫通する「位置決め孔」であり、図２９に示すように、その内部に精密研削用「ガイドスリーブ」３８が設置されてもよい。図３０に示すように、ヘッドにテーパーを有するスプライシング「ガイドピン」３９は「ガイドスリーブ」３８を貫通して、隣接する上スプライシング画面と下スプライシング画面に貫通するように接続されている。水平方向には、上下スプライシング寸法を制御するための「ロックプラットフォーム」４０は１対設置され、垂直方向には、左右スプライシング寸法を制御するための「ロックプラットフォーム」４０は１対設置されている。スプライシングした上ディスプレイと下ディスプレイは図３１に示される。図３２において、各本体の「完全な額縁」構造３７において、「ガイドスリーブ」３８の中心から「直角状表示ストリップ」１７までの距離４１の一致性は、スプライシングビデオウォールにおけるディスプレイの前部の平坦度、後部の平坦度、及び「突起」１６ａ、１６ｄと隣接スプライシング画面の両辺３ｂ、３ｃとの「密着」正確性を左右する。
【００５２】
本発明では、「ガイドピン」３９と「ガイドスリーブ」３の組み合わせにより画面と画面の前部のスプライシング平坦度、後部のスプライシング平坦度を制御して、「直角状表示ストリップ」１７の「突起」１６ａ、１６ｄと、隣接スプライシング画面の２本の「画面表面シーム」３ｂ、３ｃの前部、後部とを正確に噛み合せ、同時に、「突き合わせプラットフォーム」３５を用いてスプライシング画面と画面の間の上下スプライシング寸法、左右スプライシング寸法を制御することにより、「直角状表示ストリップ」１７の「突起」１６ａ、１６ｄは隣接スプライシング画面の２本の「画面表面シーム」３ｂ、３ｃを完全に被覆して、「画面間シーム」５の「画素フルカバレッジ」の目的を達成させる。
【００５３】
図３３に示すように、スプライシング時、後にスプライシングする本体６を本体１の「突き合わせプラットフォーム」３５に載置しておき、その時、図３３の４２に示すように、上画面と下画面の前後は「密着」せずに一定の距離があり、「ガイドスリーブ」３８は上部と下部が完全に位置合わせせず、わずかに後部へ偏向し、図３３における下ディスプレイ１の「突起」１６と正確に噛み合う（左スプライシング画面、右スプライシング画面の場合は同様である）とともに「突起」１６が取り付け時に上方のディスプレイ６により破損されることを防止するように、テーパー付きスプライシング「ガイドピン」３９が徐々に上スプライシング画面、下スプライシング画面の「ガイドスリーブ」３８を貫通するにつれて、図３３における上ディスプレイ６は徐々に前へ移動する。
【００５４】
図３５に示すように、ディスプレイスがプライシングされた後、図３４における回転「ロックスリーブ」４３で、スプライシング「ガイドピン」３９の上端と「突き合わせプラットフォーム」３５まで延出した「ガイドスリーブ」３８の下端とをロックして、スプライシング「ガイドピン」３９、「ロックスリーブ」４３、及び「ガイドスリーブ」３８を接続して、この１列のスプライシング画面を貫通する「貫通軸」４５にする。
【００５５】
このように、上記方法によれば、「自立式」「スプライシング後のシームレス画面」を正確に取り付けることができ、「突起」１６ａ、１６ｄと隣接スプライシング画面の画素が「被覆」されていない２本の辺３ｂ、３ｃとが正確に噛み合い、及び１５ａ、１５ｄが３ａ、３ｄを完全に被覆するようにして、ビデオウォールを「画素フルカバレッジ」の「フルシームレス」表示システムにする。
【００５６】
本発明では、「壁掛け式」スプライシング用の位置決めシステムは以下のとおりである。
「壁掛け式」スプライシングの特徴は、スプライシングビデオウォールの正面、上下、左右に一般的にアプローチしたり操作したりするための空間があるが、背後がビデオウォールを支持するための壁面であることから、ディスプレイの裏面で取り付けやメンテナンスを実施できないことにある。
【００５７】
一般的な方法は、平行機構を設置して、所定の画面がビデオウォールから「ポップアップ」できるようにして、「ポップアップ」された後に背後の空間を利用して画面を取り外すか、又は直接メンテナンスをすることである。また、単一ディスプレイの左側、右側に１対の「支点」を設置して、単一ディスプレイをそれぞれ「オープン」することで取り付けやメンテナンスを行うようにしてもよい。
【００５８】
上記方法は、ディスプレイの背後に入ることができないという問題を確実に解決するが、「ポップアップ」と「オープン」を実現するのに画面と画面の間に一定のクリアランスを残す必要があり、本発明による「画面間シーム」をなくすという目的と矛盾する。
【００５９】
本発明における「突起」１６ａ、１６ｄは隣接ディスプレイの２本の「画面表面シーム」３ｃ、３ｄを被覆し、すなわち、１つのディスプレイの「突起」１６ａ、１６ｄは正面から２つの隣接スプライシング画面の「画面表面シーム」３ｃ、３ｄを直接「圧」着し、そのため、「フロント取付」、「フロントメンテナンス」を行うために、新しい「壁掛け式」取り付け方法は必要である。
【００６０】
図３４に示すように、本発明における「スプライシング後のシームレス画面」の裏面では、「水平画面」スプライシング用の、２つの「突き合わせプラットフォーム」３５はそれぞれ「横方向」に上下配置され（それに対して、「縦方向」にも２つの「突き合わせプラットフォーム」が配置されている）、スプライシング「ガイドピン」３９は「ガイドスリーブ」３８を介してこれら「突き合わせプラットフォーム」３５と嵌合して接続される。図３６に示すように、上記「突き合わせプラットフォーム」３５は本体裏面の「完全な額縁」構造３７上に固定され、同時に本体裏面のカバープレート４４は「完全な額縁」３７上に締め付けられる時、「完全な額縁」３７は「せん断抵抗額縁」になる。それは所定のせん断力４６を負荷して、該せん断力４６がディスプレイに印加しないようにするため、ディスプレイのダメージを回避できる。
【００６１】
図３５に示すように、スプライシング「ガイドピン」３９、「ロックスリーブ」４３、及び「ガイドスリーブ」３８で構成される「貫通軸」４５は縦方向に本体裏面の両側を貫通する。（背面）右側にある「貫通軸」４５の支点４７が既存の支持を解放すると、本体は水平面内で（背面）左側にある「貫通軸」４５を巡って所定角度回転できる。
【００６２】
ディスプレイを上下でスプライシングして、「ロックプラットフォーム」４０の上部と下部を締め具でロックすると、上ディスプレイと下ディスプレイの「完全な額縁」３７は上本体と下本体を含む新しい「せん断抵抗額縁」を構成し、同様に、水平面内で（背面）左側にある「貫通軸」４５を巡って所定角度回転できる。図３７に示すように、上スプライシング画面と下スプライシング画面で構成された「縦列」は一体として締め付けられて、一体として回転する点は異なる。同様に、このような方式によれば、スプライシングビデオウォールの「縦列」全体は（背面）左側にある「貫通軸」４５に沿って水平面内で所定角度回転できる。図３８に示すように、２行×２列のスプライシングビデオウォールにおいて、第２列の「列全体」画面は、支点４７が元の支持を解放すると、（正面）右側にある「貫通軸」４５に沿って所定角度回転できる。その時、図３９に示すように、垂直方向にある「突起」１６ｄと隣接スプライシング画面の画素が「被覆」されていない１本の「画面表面シーム」３ｃとは元の「噛み合い」位置で分離する。
【００６３】
ディスプレイが垂直「貫通軸」４５を巡って回転できるようにするために、側面スプライシング寸法を制御するための「突き合わせプラットフォーム」３５の「位置決め孔」３６は中心線に近い位置に斜面４８があり、それによって、スプライシング「縦列」の回転時、「突き合わせプラットフォーム」３５は隣接スプライシング画面上の「突き合わせプラットフォーム」を順調にスライドして出すことができる。（注：垂直画面スプライシングの場合も同様である）
【００６４】
図４０に示すように、該「縦列」が十分な角度回転して、４７において新しい固定用支持を提供する時、本体の背後には取り付けやメンテナンス用に十分な空間が得られ、ディスプレイは「自立式」取り付けの場合のように上から下へ取り外したり、下から上へ取り付けたりすることができる。
【００６５】
本発明に係る「スプライシング後のシームレス画面」ビデオウォールは、「列全体」又は「列全体の分割部」として、「ガイドピン」３９、「ロックスリーブ」４３、及び「ガイドスリーブ」３８で構成される「貫通軸」４５を巡って所定角度回転することで、「突起」１６ｄは縦方向において「列全体」又は「列全体の分割部」として、隣接スプライシング画面の画素が「被覆」されていない「画面表面シーム」３ｃと分離して、取り付けやメンテナンス用の空間を形成するものであり、該「列全体」は、「ロックプラットフォーム」４０で上下本体をロックし、本体裏部のカバープレート４４は「せん断ウェブ」であり、「完全な額縁」３７と締め付けてなる縦列「せん断抵抗額縁」は、回転中のディスプレイの一側の垂下を防止する。
【００６６】
本発明では、「吊り下げ式」スプライシング用の位置決めシステムは以下のとおりである。
「吊り下げ式」取り付け方法は、「ロックプラットフォーム」４０を用いて上下ディスプレイと、左右ディスプレイを一体にするように、「自立式」方式により地面でビデオウォールを組み立てておくことで、ビデオウォールの「吊り下げ」を容易にする。
【００６７】
本発明で提供する取付方法は、「スプライシング後のシームレス画面」の技術案を実施するための必須な条件であり、本発明の一部とされる。
【図１】
2018522255.tif 000003
【図２】
2018522255.tif 000004
【図３】
2018522255.tif 000005
【図４】
2018522255.tif 000006
【図５】
2018522255.tif 000007
【図６】
2018522255.tif 000008
【図７】
2018522255.tif 000009
【図８】
2018522255.tif 000010
【図９】
2018522255.tif 000011
【図１０】
2018522255.tif 000012
【図１１】
2018522255.tif 000013
【図１２】
2018522255.tif 000014
【図１３】
2018522255.tif 000015
【図１４】
2018522255.tif 000016
【図１５】
2018522255.tif 000017
【図１６】
2018522255.tif 000018
【図１７】
2018522255.tif 000019
【図１８】
2018522255.tif 000020
【図１９】
2018522255.tif 000021
【図２０】
2018522255.tif 000022
【図２１】
2018522255.tif 000023
【図２２】
2018522255.tif 000024
【図２３】
2018522255.tif 000025
【図２４】
2018522255.tif 000026
【図２５】
2018522255.tif 000027
【図２６】
2018522255.tif 000028
【図２７】
2018522255.tif 000029
【図２８】
2018522255.tif 000030
【図２９】
2018522255.tif 000031
【図３０】
2018522255.tif 000032
【図３１】
2018522255.tif 000033
【図３２】
2018522255.tif 000034
【図３３】
2018522255.tif 000035
【図３４】
2018522255.tif 000036
【図３５】
2018522255.tif 000037
【図３６】
2018522255.tif 000038
【図３７】
2018522255.tif 000039
【図３８】
2018522255.tif 000040
【図３９】
2018522255.tif 000041
【図４０】
2018522255.tif 000042
【国際調査報告】
2018522255.tif 000043
2018522255.tif 000044
2018522255.tif 000045
2018522255.tif 000046
2018522255.tif 000047
2018522255.tif 000048